(57)【特許請求の範囲】
【請求項１】
基材の少なくとも一部に、不可視画像を有する画線要素が複数配置された偽造防止用印刷物であって、
第１の方向に沿って前記画線要素の中心を境に対向するように第１の画線及び第２の画線を有する画線要素が、一定のピッチで複数マトリクス状に配置されており、前記第１の画線及び前記第２の画線が有する領域及び／又は有しない領域に第５の画線を更に有し、
前記第５の画線により、第１の不可視画像が形成され、
前記第１の画線と前記第２の画線は、オン・オフの関係にあり、かつ面積が同一であり、前記第１の画線により第２の不可視画像のポジ画像及びネガ画像の一方が形成され、前記第２の画線により前記第２の不可視画像のネガ画像及びポジ画像の他方が形成され、
前記第１の画線及び前記第２の画線は、第１の波長の紫外線を照射した場合に可視光領域で発光し、かつ第２の波長の紫外線を照射した場合に可視光領域で発光する第１の無色透明又は淡色インキで形成され、
前記第５の画線は、前記第１の波長の紫外線を照射した場合に前記第１の画線及び前記第２の画線とは少なくとも一つの異なる色彩で可視光領域で発光し、かつ前記第２の波長の紫外線を照射した場合に可視光領域で発光しない前記第１の無色透明又は淡色インキとは異なる第２の無色透明又は淡色インキで形成される印刷物であって、
前記印刷物に対して前記第１の波長の紫外線を照射した場合に前記第１の不可視画像が視認され、前記印刷物に対して前記第２の波長の紫外線を照射し、かつ判別具を重ねて観察した場合に、前記第１の不可視画像が消失し前記第２の不可視画像のネガ画像又はポジ画像のいずれか一方が視認されることを特徴とする偽造防止用印刷物。
【請求項２】
前記第１の方向と直交する第２の方向に沿って、前記画線要素の中心を境に対向するように第３の画線及び第４の画線とを有する画線要素が、一定のピッチで複数マトリクス状に配置されており、
前記第３の画線と前記第４の画線は、オン・オフの関係にあり、かつ面積が同一であり、前記第３の画線により第３の不可視画像のポジ画像及びネガ画像の一方が形成され、前記第４の画線により前記第３の不可視画像のネガ画像及びポジ画像の他方が形成され、
前記第１の画線及び前記第２の画線は、第１の波長の紫外線を照射した場合に可視光領域で発光し、かつ第２の波長の紫外線を照射した場合に可視光領域で発光する前記第１の無色透明又は淡色インキで形成される印刷物であって、
前記印刷物に対して前記第２の波長の紫外線を照射し、かつ判別具を重ねて観察した場合に、前記第１の不可視画像が消失し前記第３の不可視画像のネガ画像又はポジ画像のいずれか一方が視認されることを特徴とする請求項１記載の偽造防止用印刷物。
【請求項３】
前記画線要素は、正方形の形状を有し、一辺の長さが１ｍｍ以下であることを特徴とする請求項１又は２記載の偽造防止用印刷物。
【請求項４】
前記第１の不可視画像は、前記第５の画線の形状を任意に設定することにより、連続階調を有する不可視画像が形成されたことを特徴とする請求項１乃至３のいずれか一項記載の偽造防止用印刷物。
【請求項５】
前記第１の波長は３７０ｎｍ未満の波長であり、前記第２の波長は３７０ｎｍ以上の波長であることを特徴とする請求項１乃至４のいずれか一項記載の偽造防止用印刷物。
【請求項６】
前記第１の画線と前記第２の画線は、前記第１の波長の紫外線を照射した場合に可視光領域でＧ発光し、かつ前記第２の波長の紫外線を照射した場合に可視光領域でＧ発光し、
前記第３の画線と前記第４の画線は、前記第１の波長の紫外線を照射した場合に可視光領域でＧ発光し、かつ前記第２の波長の紫外線を照射した場合に可視光領域でＧ発光し、
前記第５の画線は、前記第１の波長の紫外線を照射した場合に可視光領域でＲ発光又はＢ発光し、かつ前記第２の波長の紫外線を照射した場合に可視光領域で発光しないことを特徴とする請求項２又は請求項２を引用する請求項３乃至５のいずれか一項記載の偽造防止用印刷物。
【発明の詳細な説明】
【技術分野】
【０００１】
本発明は、紙幣、株券、債券等の有価証券、各種証明書、重要書類等の偽造防止又は複製防止が必要とされる偽造防止用印刷物に関するものである。
【背景技術】
【０００２】
偽造防止を必要とされる印刷物において、簡便に真偽判定することは、偽造物を発見する上で重要である。簡便に真偽判定することができる方法として、不可視画像が可視画像となって発現する技術がある。印刷物に対して何らかの処理を加えて、不可視画像を可視画像として発現させる代表的な偽造防止技術として、潜像凹版、コピー防止画線と呼ばれる複写機で色が正常に再現されない図形、機能性材料を使ったインキ等がある。このうち、機能性材料を使ったインキとして、蛍光インキ、りん光インキ等、特定の光又は電子線の照射、特定の応力を与えることによって励起する機能性材料を印刷インキに用いる技術がある。
【０００３】
特に、簡便な道具を使う代表的な施行方法として、例えば、任意の図形を、蛍光顔料を含む無色透明インキ（以下「無色蛍光インキ」という。）で印刷し、その印刷物に紫外線ランプ等で紫外線を照射すると、無色蛍光インキで印刷された図形が可視光にて発光するといった効果がある。また、無色蛍光インキに対し有色蛍光インキは、印刷されると通常の可視光線下で可視画像とすることができ、紫外線等の所定の波長を照射すると該画像が発光することで真偽判別を可能にしている。
【０００４】
蛍光インキによる偽造防止策の一例を説明する。図１は、紫外線ランプ５を用い、紫外線を照射しながら印刷物１を視点６から目視にて観察した状態を示した斜視図であり、図２は、通常の可視光で観察された状態と紫外線ランプ５の紫外線を照射して観察した状態を示した説明図である。図１に示した印刷物１上には、無色蛍光インキによって印刷された印刷模様２と任意の模様４とが印刷されている。なお、図１では、模様４を説明上、分かりやすく点線にて表示している。通常の可視光での観察では、図２（ａ）に示した無色蛍光インキによって印刷された模様４は、目視では無色となっているため視認されない。なお、図２（ａ）では、模様４を説明上、分かりやすく点線にて表示している。
【０００５】
図２（ｂ）は、印刷物１に紫外線ランプ５を用いて紫外線を照射したときの状態を示したものである。図２（ｂ）のように、紫外線によって蛍光インキが励起し発光することによって、不可視画像として備わっていた模様４が視認可能となり、真正物であることが一目瞭然となる。ここで、蛍光インキの偽造防止策として要となっているのが、専用の機能性材料を使うことによる秘匿性である。例えば、容易に入手することができない機能性材料を使うことによって、偽造そのものを抑止することができる。こうした機能性材料を使った偽造防止技術は、古くから用いられているもので、例えば、諸外国では、店のカウンターの下に紫外線ランプを設置し、紙幣を受け取った際に、蛍光発光を確認して真偽判別する方法がある。こうした技術は、真偽判定が容易で、犯罪への牽制効果があるとされ、今後も望まれる認証技術になっている。
【０００６】
このように、紫外線照射によって何らかの色味に発光して見えるという現象は、偽造防止効果の確認方法として至って明瞭な効果といえる。しかし、そうした明瞭さ故に、昨今では、類似の効果を成す代替物が容易に入手可能であり、専用の材料を用いていながらも、組織的な偽造によって類似の効果を成す代替物を使用して贋造されてしまう場合がある。すなわち、紫外線を照射して画像が発光するだけでは、十分な偽造防止策になっていないという問題がある。
【０００７】
上記の問題に対し蛍光インキによる偽造防止策を高める方法として、二色性蛍光と呼ばれる蛍光インキを用いる方法が提案されている。この二色性蛍光とは、一つの印刷画線に対し、二種類の異なる波長の紫外線を照射することよって、それぞれ異なる発色で励起するものである。例えば、波長３６５ｎｍの紫外線で励起された発色は、緑色となり、さらに、波長２５４ｎｍの紫外線で励起された発色は、赤色となる。この方法には、秘匿性の高い機能性材料を用いるため、偽造防止効果も一層向上するものである。
【０００８】
本願発明者らは、一種類の蛍光インキを用い、一種類の励起発色でありながら、発色効果とは別の不可視画像を設けた方法を提案している。基材に基本画像を設け、基本画像は、潜像部及び潜像周囲部から成り、潜像部及び潜像周囲部は、目視では区別することはできず、一定周期で連続配置する網点の集合体により構成され、潜像部の網点は、潜像周囲部の網点と解像度が異なり、単位面積当たりの網点面積率が等しく、かつ単位面積当たりの網点周囲長（輪郭長さ）が異なる構成から成り、かつ潜像部及び潜像周囲部を有色蛍光インキで印刷することで、紫外線を照射した場合に不可視画像が可視画像となって発現する印刷物を出願している（例えば、特許文献１参照）。
【０００９】
また、本願発明者らは、三種類の無色蛍光インキを用いて、可視光下では無色であり、紫外線を照射するとそれぞれが異なる蛍光色で発光するフルカラー蛍光発光印刷物を出願している（例えば、特許文献２参照）。
【００１０】
一方、蛍光インキを使わずとも低コストで真偽判定を可能にする有用な方法に、印刷物上に判別具を重ねて行う技術がある。すなわち、不可視画像が施されている印刷物に判別具を重ねることによって、不可視画像を可視画像として発現させるもので、この判別具の主な形態は、平行線スクリーンを印刷した透明シート（以下「万線フィルタ」という。）であったり、レンチキュラーレンズであったりする。この判別具を用いて不可視画像を発現させる技術は、主に二種類の方法があり、点位相変調（Dot phase modulation）と線位相変調（Line phase modulation）とが存在する。
【００１１】
例えば、点位相変調（Dot phase modulation）の一例としては、第１の方向と第２の方向に位相変調されたパターンが形成された印刷物と、当該印刷物の第１の方向と万線フィルタの万線状パターンの方向とを一致するように万線フィルタを重ね合わせることにより形成される第１の多階調画像と、万線フィルタの重ね合わせる角度を印刷物の第２の方向に一致するように変えると第２の多階調画像が形成された印刷物が開示されている（例えば、特許文献３参照）。
【００１２】
また、点位相変調（Dot phase modulation）の一例としては、基材上に、レンズアレイ（ハエの目レンズ、ハニカムレンズ、レンチキュラーレンズ等）を重ねることにより画像が現れるドットパターンを構成するそれぞれのドットが、少なくとも二種類以上のスクリーン線数で、かつ少なくとも二種類以上のスクリーン角度の網点から成る印刷物において、真正物であればドットパターンを構成するそれぞれのドットの網点面積率が同じであるため、レンズアレイを重ねることにより不可視画像が発現し、複写物の場合は、複写することによりスクリーン線数の大きさ又は網点角度で再現されるドットが潰れ、ドットの濃度が変化することにより不可視画像と異なる画像が発現する印刷物が開示されている（例えば、特許文献４参照）。
【００１３】
線位相変調（Line phase modulation）の一例としては、基材上に、線部と非線部を有し、同一ピッチ及び幅から成る万線パターンに対し、万線位相を２分の１ピッチずらして形成された潜像部を備えている複数種の潜像万線パターンが、それぞれ異なる角度で重ね合わされて印刷された潜像を有する印刷物であって、複数種の潜像万線パターンがそれぞれ色違いであることを特徴とする印刷物と、印刷物の万線パターンと同一ピッチのフィルムを複数種の不可視画像に重ね合わせることにより潜像部を可視画像化されたものが開示されている（例えば、特許文献５参照）。
【００１４】
また、本願出願人は、機能性を有する無色透明な材料と点位相変調（Dot phase modulation）を用いた印刷物の特許出願をしている。これは、基材上に、機能性を有する無色透明な材料で印刷された模様に紫外線を照射することによって第１の不可視画像が発現されるとともに、さらに、紫外線を照射した状態で判別具を重ねて観察した場合に、第２の不可視画像と第３の不可視画像が視認可能となる偽造防止用印刷物である（例えば、特許文献６参照）。
【先行技術文献】
【特許文献】
【００１５】
【特許文献１】特許第４０８５１７５号公報
【特許文献２】特許第３６８０９０８号公報
【特許文献３】特許第４１３２１２２号公報
【特許文献４】特許第４０１３４５０号公報
【特許文献５】特許第４４１５５４２号公報
【特許文献６】特許第５０５０２８７号公報
【発明の概要】
【発明が解決しようとする課題】
【００１６】
上述した特許文献１乃至５は、紫外線を照射した場合に潜像画像を出現する技術、レンチキュラーレンズ等の判別具を重ね合わせることで潜像画像が出現する技術である。さらに、特許文献６は、紫外線を照射した場合に潜像画像を出現する技術とレンチキュラーレンズ等の判別具を重ね合わせることで潜像画像が出現する技術を組み合わせた偽造防止効果の高い技術である。
【００１７】
しかしながら、近年のコンピュータ機器等の技術進歩や蛍光インキ等の特殊な材料を容易に購入することが可能となったことにより、より優れた偽造防止技術が求められている。
【００１８】
そこで、特許文献６の印刷物を多色印刷にすることにより偽造防止効果が高まることが考えられる。図３（ａ）では、無色蛍光インキによって印刷された印刷模様２の模様７と模様８を分かりやすく黒色にて表示している。図３（ａ）に示した印刷物１は、通常の可視光での観察では、図３（ａ）に示した無色蛍光インキによって印刷された印刷模様２の模様７と模様８は、目視では無色となっているため視認されない。
【００１９】
図３（ｂ）に示した印刷物１の版面９は、模様７が形成され、模様７は特許文献６に記載されている画線Ａ及び画線Ａ’、又は、画線Ｂ及び画線Ｂ’若しくは、画線Ａ、画線Ａ’、画線Ｂ及び画線Ｂ’で形成されている。ここでは、模様７は一定の濃度であるが、後述する本発明はこれに限定されるものではなく、図形、文字、数字、記号等の有意味情報を付与することができる。また、図３（ｃ）に示した版面９は、模様８「桜」が形成され、模様８は特許文献６に記載されている画線Ｃ及び／又は画線Ｄで形成されている。図３（ａ）に示した印刷物１は、図３（ｂ）に示した版面９と図３（ｃ）に示した版面９を使用し印刷されたものになっている。図３（ａ）に示した印刷物１のように印刷模様２の模様７に有する特許文献６に記載されている画線Ａ及び画線Ａ’、又は、画線Ｂ及び画線Ｂ’若しくは、画線Ａ、画線Ａ’、画線Ｂ及び画線Ｂ’の画線構成を容易に分からなくするため、印刷模様２の模様８がカモフラージュ模様の役割を成している。
【００２０】
上記記載の例では二種類の版面、すなわち、二色のインキを用いることで偽造防止効果が高まっている。この図３（ａ）に示した印刷物１を、図１に示したように、視点６において、印刷物１に第１の判別具である紫外線ランプ５を用いて紫外線を照射すると、図５（ａ）のように、紫外線によって蛍光インキが励起し発光することによって、第１の不可視画像である印刷模様２の模様７と、第１の不可視画像の主体となる印刷模様２の模様８の「桜」が発現する。
【００２１】
また、この図３（ａ）に示した印刷物１を、図４に示されるように、印刷物１に対し第１の判別具である紫外線ランプ５で紫外線を照射し、かつ第２の判別具であるレンチキュラーレンズ１０を重ね合わせると、図５（ｂ）のように、紫外線によって蛍光インキが励起し発光することによって、第１の不可視画像の一部である印刷模様２の模様７がほとんど視認できなくなり、第２の不可視画像１１の「ＪＰＮ」として発現し、第１の不可視画像の模様８の「桜」が発現する。
【００２２】
しかしながら、図５（ｂ）に示すように第２の不可視画像１１として発現した「ＪＰＮ」の領域内に「ＪＰＮ」の文字の色彩とは異なる色彩である第１の不可視画像として発現した模様８の「桜」が重なり、「ＪＰＮ」の文字が視認しにくくなる問題があった。
【００２３】
以上のことから、本発明は、前述した問題点を解決することを目的としたものであり、レンチキュラーレンズ等の判別具を重ねた場合に不可視画像の視認性に優れた偽造防止用印刷物を提供するものである。
【課題を解決するための手段】
【００２４】
本発明の偽造防止用印刷物は、基材の少なくとも一部に、中心を境に対向するように第１の画線及び第２の画線を有する画線要素が、一定のピッチで複数マトリクス状に配置されており、第１の画線及び第２の画線が有する領域及び／又は有しない領域に第５の画線を更に有し、第５の画線により、第１の不可視画像が形成され、第１の画線と第２の画線は、オン・オフの関係にあり、かつ面積が同一であり、第１の画線により第２の不可視画像のポジ画像及びネガ画像の一方が形成され、第２の画線により第２の不可視画像のネガ画像及びポジ画像の他方が形成され、第１の画線及び第２の画線は、第１の波長の紫外線を照射した場合に可視光領域で発光し、かつ第２の波長の紫外線を照射した場合に可視光領域で発光する無色透明又は淡色インキで形成され、第５の画線は、第１の波長の紫外線を照射した場合に第１の画線及び第２の画線とは少なくとも一つの異なる色彩で可視光領域で発光し、かつ第２の波長の紫外線を照射した場合に可視光領域で発光しない無色透明又は淡色インキで形成される印刷物であって、印刷物に対して第１の波長の紫外線を照射した場合に第１の不可視画像が視認され、印刷物に対して第２の波長の紫外線を照射し、かつ判別具を重ねて観察した場合に第２の不可視画像のネガ画像又はポジ画像のいずれか一方が視認されることを特徴とする。
【００２５】
本発明の偽造防止用印刷物は、第１の方向と直交する第２の方向に沿って、中心を境に対向するように第３の画線及び第４の画線とを有する画線要素が、一定のピッチで複数マトリクス状に配置されており、第３の画線と第４の画線は、オン・オフの関係にあり、かつ面積が同一であり、第３の画線により第３の不可視画像のポジ画像及びネガ画像の一方が形成され、第４の画線により第３の不可視画像のネガ画像及びポジ画像の他方が形成され、第１の画線及び第２の画線は、第１の波長の紫外線を照射した場合に可視光領域で発光し、かつ第２の波長の紫外線を照射した場合に可視光領域で発光する無色透明又は淡色インキで形成される印刷物であって、印刷物に対して第２の波長の紫外線を照射し、かつ判別具を重ねて観察した場合に第３の不可視画像のネガ画像又はポジ画像のいずれか一方が視認されることを特徴とする。
【００２６】
本発明の偽造防止用印刷物は、画線要素は、正方形の形状を有し、一辺の長さが１ｍｍ以下であることを特徴とする。
【００２７】
本発明の偽造防止用印刷物の第１の不可視画像は、第５の画線の形状を任意に設定することにより、連続階調を有する不可視画像が形成されたことを特徴とする。
【００２８】
本発明の偽造防止用印刷物の第１の波長は３７０ｎｍ未満の波長であり、第２の波長は３７０ｎｍ以上の波長であることを特徴とする。
【００２９】
本発明の偽造防止用印刷物は、第１の画線と第２の画線は、第１の波長の紫外線を照射した場合に可視光領域でＧ発光し、かつ第２の波長の紫外線を照射した場合に可視光領域でＲ発光又はＢ発光し、第３の画線と第４の画線は、第１の波長の紫外線を照射した場合に可視光領域でＧ発光し、かつ第２の波長の紫外線を照射した場合に可視光領域でＲ発光又はＢ発光し、第５の画線は、第１の波長の紫外線を照射した場合に可視光領域でＲ発光又はＢ発光し、かつ第２の波長の紫外線を照射した場合に可視光領域で発光しないことを特徴とする。
【発明の効果】
【００３０】
本発明の偽造防止用印刷物に対して第１の波長の紫外線を照射した場合に多色による第１の不可視画像が視認されることで、従来よりも偽造防止効果が高い。さらに、本発明の偽造防止用印刷物に対して第２の波長の紫外線を照射し、判別具を重ねた場合に第２の不可視画像が視認され、判別具の重ねる位置を変更した場合に第３の不可視画像が視認される。第２の波長の紫外線を照射した場合に第１の不可視画像は発光しないため、判別具を重ねた場合に視認される第２の不可視画像又は第３の不可視画像の視認性を阻害することがないため、メッセージを伝えるべき第２の不可視画像又は第３の不可視画像が鮮明に視認できるため容易に真偽判別することができる。
【００３１】
また、従来は、第２の不可視画像を構成する画線（例えば、画線Ａ、画線Ａ’）及び第３の不可視画像を構成する画線（例えば、画線Ｂ、画線Ｂ’）と、主体となる第１の不可視画像を構成する画線（例えば、画線Ｃ、画線Ｄ）を重ね合わせた場合、潜像として出現する第２の不可視画像又は第３の不可視画像の視認性を阻害する問題があったが、本発明の偽造防止用印刷物は、上記画線同士を重ね合わせて形成したとしても、潜像として出現する第２の不可視画像又は第３の不可視画像の視認性を阻害することはない。
【図面の簡単な説明】
【００３２】
【図１】紫外線ランプ５を用い、紫外線を照射しながら印刷物１を視点６から目視にて観察した状態を示した斜視図である。
【図２】通常の可視光で観察された状態と紫外線ランプ５の紫外線を照射して観察した状態を示した説明図である。
【図３】印刷物１に対し無色蛍光インキで印刷模様の模様が印刷された状態とその模様の版面構成を示した説明図である。
【図４】印刷物１に対し第１の判別具である紫外線ランプ５で紫外線を照射し、第２の判別具であるレンチキュラーレンズ１０を重ね合わせている状態を示した斜視図である。
【図５】紫外線ランプ５の紫外線を照射して観察した状態と紫外線ランプ５の紫外線を照射し、第２の判別具であるレンチキュラーレンズ１０を重ね合わせて観察した状態を示した説明図である。
【図６】通常の可視光で観察された状態と紫外線ランプ５の紫外線を照射して観察した状態を示した説明図である。
【図７】印刷物１上に第２の判別具であるレンチキュラーレンズ１０を所定の角度（これを０度とする）をもって重ね合わせた状態を示した説明図である。
【図８】印刷物１上に第２の判別具であるレンチキュラーレンズ１０を所定の角度（これを９０度とする）をもって重ね合わせた状態を示した説明図である。
【図９】実施の形態１における印刷物１に対する印刷模様２の一画線の構成を示した拡大図である。
【図１０】第２の不可視画像を構成する画線Ａ及び画線Ａ’と、第３の不可視画像を構成する画線Ｂ及び画線Ｂ’と、模様４を構成する画線Ｃと、模様８を構成する画線Ｄとのそれぞれの構成が分かるように簡易的に示した模式図である。
【図１１】図１０に示した印刷物１の印刷模様２を通常の可視光で観察した状態と、無色蛍光インキによって、それまで無色透明だった画線Ａ、画線Ａ’、画線Ｂ、画線Ｂ’、画線Ｃ及び画線Ｄが紫外線によって励起し発光した状態を示した説明図である。
【図１２】第２の判別具であるレンチキュラーレンズ１０を印刷物１上の印刷模様２に重ね合わせ、第１の判別具である紫外線ランプ５で紫外線を照射しながら印刷物１を視点６から目視にて観察した状態を示した斜視図である。
【図１３】第２の判別具であるレンチキュラーレンズ１０を印刷物１上の印刷模様２に重ね合わせ、第１の判別具である紫外線ランプ５で紫外線を照射し励起発光した印刷模様２を、正面から目視で観察した状態を示した説明図である。
【図１４】第２の判別具であるレンチキュラーレンズ１０を印刷物１上の印刷模様２に重ね合わせ、第１の判別具である紫外線ランプ５で紫外線を照射し励起発光した印刷模様２を、正面から目視で観察した状態を示した説明図である。
【図１５】通常の可視光では無色であり、紫外線を照射するとそれぞれが異なる蛍光色で発光する三種類の蛍光インキの励起スペクトルを示した説明図である。
【図１６】波長３６５ｎｍの紫外線で励起された無色蛍光インキＲ、Ｇ、Ｂの発光スペクトルと波長３７５ｎｍの紫外線で励起された無色蛍光インキＲ、Ｇ、Ｂの発光スペクトルを示した説明図である。
【図１７】紫外線ランプ５の紫外線を照射して観察した状態と紫外線ランプ５の紫外線を照射し、第２の判別具であるレンチキュラーレンズ１０を重ね合わせて観察した状態を示した説明図である。
【図１８】印刷物１に対し無色蛍光インキで印刷模様の模様が印刷された状態とその模様の版面構成を示した説明図である。
【図１９】紫外線ランプ５の紫外線を照射して観察した状態と紫外線ランプ５の紫外線を照射し、第２の判別具であるレンチキュラーレンズ１０を重ね合わせて観察した状態を示した説明図である。
【図２０】本発明の偽造防止用印刷物のその他の実施の形態を示す説明図である。
【発明を実施するための形態】
【００３３】
（実施の形態１）
本発明の偽造防止用印刷物は、基材上に、機能性を有する無色透明な材料で印刷された模様を、少なくとも二種類の判別具によって真偽判別を可能にするものである。真偽判別方法としては、第１の判別具のみを使用する方法又は第１の判別具と第２の判別具とを合わせて使用する方法があり、後者の方法を用いることで、より高い真偽判別性を備えることができる。以下、本発明の実施の形態１、２による偽造防止用印刷物について図面を用いて説明する。なお、本発明は、以下に述べる実施の形態１、２に限定されるものではなく、特許請求の範囲に記載された技術的思想の範囲内であれば、その他の様々な実施の形態が含まれる。
【００３４】
本発明の実施の形態１、２による偽造防止用印刷物は、少なくとも二種類の判別具によって真偽判別性を高めている。図６は通常の可視光で観察された状態と、第１の判別具である紫外線ランプ５の紫外線を照射して観察した状態を示した説明図である。
【００３５】
図６（ａ）に示した印刷物１は、通常の可視光での観察では、図６（ａ）に示したように、無色蛍光インキによって印刷された印刷模様２の模様４と模様８は、目視では無色となっているため視認されない。なお、図６（ａ）では、印刷模様２の模様４と模様８を分かりやすく点線にて表示している。
【００３６】
図６（ａ）に示した本発明の偽造防止用印刷物１を、図１に示したように、視点６において、印刷物１に第１の判別具である紫外線ランプ５を用いて紫外線を照射すると、図６（ｂ）のように、紫外線によって蛍光インキが励起し発光することによって、第１の不可視画像である印刷模様２の模様４及び主体となる模様８が視認される。模様４と模様８は、図６のデザインに限定されることなく、図形、文字、数字、記号等の有意味情報を付与することができる。また、模様４と模様８とは、重畳するような配置となっているが、本発明はこれに限らず様々なデザイン表現を施すことができる。
【００３７】
さらに、図４に示されるように、印刷物１に対し第１の判別具である紫外線ランプ５で紫外線を照射し、かつ第２の判別具であるレンチキュラーレンズ１０を重ね合わせることにより、容易に不可視画像を発現させて真偽判別することができるものである。レンチキュラーレンズ１０は、透明性又は半透明性を有する素材であり、第１の判別具である紫外線ランプ５で照射された紫外線の光を十分に透過するものである。
【００３８】
印刷物１上に第２の判別具であるレンチキュラーレンズ１０を所定の角度（これを０度とする。）をもって重ね合わせると、図７（ａ）又は図７（ｂ）に示した第２の不可視画像１２が発現する。また、印刷物１上に第２の判別具であるレンチキュラーレンズ１０を所定の角度に対して９０度を成す角度をもって重ね合わせると、図８（ａ）又は図８（ｂ）に示した第３の不可視画像１１が発現する。図７（ａ）又は図７（ｂ）及び図８（ａ）又は図８（ｂ）に示されるようにネガポジ状のどちらかに見えるのは、レンチキュラーレンズ１０と印刷物１との間の相対的な位置によって生ずるものであり、本発明の効果の範囲内である。
【００３９】
さらに、本発明の実施の形態１、２は、無色蛍光インキを使用した例として説明しているが、淡色のインキとして、高明度の有色顔料を含む蛍光インキ又は顔料コンテントの低い状態にある有色顔料を含む蛍光インキ（以下「有色蛍光インキ」という。）であっても、本発明の効果の範囲内である。すなわち、第１の判別具である紫外線ランプ５で紫外線を照射していない通常の目視の状態において、第２の判別具であるレンチキュラーレンズ１０を重ね合わせた際に、用いられる有色蛍光インキが、目視にて不可視画像１１及び不可視画像１２が視認することができないほどの高明度である場合、有色蛍光インキであっても本発明の効果が損なわれることはない。なお、本発明における淡色の材料とは、これらの高明度な有色蛍光インキ等のことである。
【００４０】
図９に、本実施の形態１における印刷物１に対する印刷模様２の一画線の構成を部分的に拡大して示す。ただし、無色蛍光インキを用いているため、可視光下では無色透明な状態である。以下の説明では、図形が見えているものと仮定して説明する。
【００４１】
縦横の寸法Ｓは、例えば、３４０μｍというように１ｍｍ以下の大きさである。このような画線群はユニットと称する最小単位であり、印刷物の表面上においてマトリクス状に規則的に配置される。各画線は、図９（ａ）に示したように、画線Ａ、画線Ａ’、画線Ｂ、画線Ｂ’、画線Ｃ及び画線Ｄが、所定の位置関係をもって配置される。図９（ｂ）に示した画線Ａと画線Ａ’は、対を成しており、相互にオン、オフの関係にある。そして、画線Ａと画線Ａ’とは、面積が同一である。このような画線Ａと画線Ａ’とが存在することで通常の可視条件下では視認されず、画線Ａのみにより第２の不可視画像のネガ又はポジの一方が形成され、画線Ａ’のみにより第２の不可視画像のポジ又はネガの他方が形成されている。
【００４２】
同様に、画線Ｂと画線Ｂ’とは、対を成してオン、オフの関係にあり、かつ面積が同一である。画線Ｂのみにより第３の不可視画像のネガ又はポジの一方が形成され、画線Ｂ’のみにより第３の不可視画像のポジ又はネガの他方が形成されている。
【００４３】
図９（ｄ）に示した画線Ｃは、図６（ｂ）に示した任意の図形及び文字から成る模様４を構成する画線となり、四角形の四隅には画線Ｃの中心がくるように４分の１ずつが配置されている。図９（ｅ）に示した画線Ｄは、図６（ｂ）に示した模様８を構成する画線となり、四角形の中心に画線Ｄの中心が一致するように配置されている。模様４と模様８は、図６（ｂ）のデザインに限定されることなく、図形、文字、数字、記号等の有意味情報を付与することができる。また、模様４と模様８とは、重畳するような配置となっているが、本発明はこれに限らず様々なデザイン表現を施すことができる。また、上記記載の模様４を形成する画線Ｃ及び模様８を形成する画線Ｄを形成する画線の配置位置は、一例であり、画線Ａ、 画線Ａ’、画線Ｂ及び画線Ｂ’とは重なっていないが、本発明はこれに限定されることなく、画線Ｃ及び画線Ｄは、画線Ａ、 画線Ａ’、画線Ｂ及び画線Ｂ’と重なったとしても本発明の効果を得ることができる。
【００４４】
このような構成を有する画線を印刷物上にマトリクス状に隙間なく、連続的に、かつ規則的に配置すると図１０のようになる。図１０は、印刷物１に印刷された印刷模様２を構成するマトリクス状に配置された複数の画線において、第２の不可視画像を構成する画線Ａ及び画線Ａ’と、第３の不可視画像を構成する画線Ｂ及び画線Ｂ’と、模様４を構成する画線Ｃと、模様８を構成する画線Ｄとのそれぞれの構成が分かるように簡易的に示した模式図である。なお、図１０（ａ）と図１０（ｂ）は、同じ印刷物であって、第２の不可視画像及び第３の不可視画像とそれぞれの位置構成が分かるように太実線で簡易的に示した模式図であり、図１０（ａ）は第２の不可視画像「Ａ」の位置を表し、図１０（ｂ）は第３の不可視画像「Ｂ」の位置を表したものである。
【００４５】
図１１（ａ）は、図１０に示した印刷物１の印刷模様２を通常の可視光で観察した状態であり、画線Ａ、画線Ａ’、画線Ｂ、画線Ｂ’、画線Ｃ及び画線Ｄは、目視では視認されない。なお、本実施の形態１では、印刷模様２をオフセット印刷によりコート紙に印刷したが、印刷方法、印刷装置等については、何ら限定するものではない。
【００４６】
通常の目視では、図１１（ａ）に示されるように何ら模様を認識することができるものではないが、第１の判別具である紫外線ランプ５にて、印刷模様２に紫外線を照射すると図１１（ｂ）に示されるように、無色蛍光インキによって、それまで無色透明だった画線Ａ、画線Ａ’、画線Ｂ、画線Ｂ’、画線Ｃ及び画線Ｄが紫外線によって励起し発光する。この状態では、画線Ｃによって構成された模様４と、画線Ｄによって構成された模様８とが印刷模様２のデザインであるかのごとく目視で視認される。すなわち、図６（ｂ）に示した印刷模様２の模様４と模様８の第１の不可視画像が視認される。
【００４７】
さらに、図１２に示した第２の判別具であるレンチキュラーレンズ１０を印刷物１上の印刷模様２に重ね合わせ、正面から目視で観察することによって、印刷模様２に施されている第２の不可視画像及び第３の不可視画像をそれぞれ発現させることができる。
【００４８】
第２の判別具であるレンチキュラーレンズ１０を重ねていない状態では、模様４及び模様８が励起発光によって視認されるが、第２の不可視画像及び第３の不可視画像は、視認されない。レンチキュラーレンズ１０を印刷模様２上の所定の位置に重ね合わせると、それまで視認されていた模様４及び模様８、すなわち、主体となる第１の不可視画像を全く確認することができなくなり、逆に第２の不可視画像又は第３の不可視画像が視認されるようになる。このような本実施の形態１による印刷物における画像のスイッチ効果の原理について、以下に説明する。
【００４９】
第１の判別具である紫外線ランプ５によって紫外線を照射し励起発光した印刷模様２を、正面から目視で観察した状態を図１３に示す。図１３（ａ）は、紫外線の照射によって励起発光した印刷模様２に対して、第２の判別具であるレンチキュラーレンズ１０の各レンズの中心線１３が、図９における線Ｌ１に一致するように、レンチキュラーレンズ１０を印刷物１上の印刷模様２に重ね合わせた状態を示したものである。レンチキュラーレンズ１０の中心線１３が図１３（ａ）に示した位置にある場合、中心線１３上に位置するのは画線Ａと、画線Ｂ及びＢ’となっている。レンチキュラーレンズの特性によって、中心線１３に位置する画線Ａと、画線Ｂ及びＢ’が膨張して見えるため、目視では図１３（ｂ）に示した励起発光による第２の不可視画像がポジ画像として発現する。ここで、画線Ｂ及びＢ’は、ネガポジの関係にあり、かつ面積が同一であるため、これらにより形成される画像は視認されない。このため、画線Ａにより形成される第２の不可視画像のみが視認される。また、レンチキュラーレンズの中心線１３が図９における線Ｌ２に一致した位置にあるときは、画線Ａ’が膨張して見える。これにより、第２の不可視画像がネガ画像として発現する。
【００５０】
第１の判別具である紫外線ランプ５によって紫外線を照射し励起発光した印刷模様２を、正面から目視で観察した状態を図１４に示す。図１４（ａ）は、紫外線の照射によって励起発光した印刷模様２に対して、第２の判別具であるレンチキュラーレンズ１０の各レンズの中心線１３が、図９における線Ｌ３に一致するように、レンチキュラーレンズ１０を印刷物１上の印刷模様２に重ね合わせた状態を示したものである。レンチキュラーレンズ１０の中心線１３が図１４（ａ）に示した位置にある場合、中心線１３上に位置するのは画線Ｂと、画線Ａ及びＡ’となっている。レンチキュラーレンズの特性によって、中心線１３に位置する画線Ｂと、画線Ａ及びＡ’が膨張して見えるため、目視では図１４（ｂ）に示した励起発光による第３の不可視画像がポジ画像として発現する。ここで、画線Ａ及びＡ’は、ネガポジの関係にあり、かつ面積が同一であるため、これらにより形成される画像は視認されない。このため、画線Ｂにより形成される第３の不可視画像のみが視認される。また、レンチキュラーレンズの中心線１３が図９における線Ｌ４に一致した位置にあるときは、画線Ｂ’が膨張して見える。これにより、第３の不可視画像がネガ画像として発現する。
【００５１】
本実施の形態１では、第２の判別具としてレンチキュラーレンズを用いているが、紫外線を透過できる素材であれば何ら限定するものではない。例えば、万線フィルタであっても同様の効果が得られる。印刷物１に対してレンチキュラーレンズを重ねて観察した場合において、画線Ｃ及び画線Ｄはほとんど視認されないため、第２の不可視画像又は第３の不可視画像が発現したときの視認性を阻害することはない。
【００５２】
また、本実施の形態１における印刷物１の印刷模様２の画線は、図９に示した円形又は楕円の形状に限らない。画線Ａと画線Ａ’は、面積が同一であり、また、画線Ｂと画線Ｂ’も面積が同一である。このような構成を備えるものであれば、各々の画線の形状については、限定するものではない。さらに、画線Ｃ及び画線Ｄは画線の形状を任意に設定することにより、連続階調を有することもできる。
【００５３】
本発明の偽造防止用印刷物の画線を形成する印刷インキについて以下に記載する。画線Ａ、画線Ａ’、画線Ｂ及び画線Ｂ’は、第１の画線及び第２の画線は、第１の波長の紫外線を照射した場合に可視光領域で発光し、かつ第２の波長の紫外線を照射した場合に可視光領域で発光する無色透明又は淡色インキで形成される。画線Ｃ及び画線Ｄは、第１の波長の紫外線を照射した場合に画線Ａ、画線Ａ’、画線Ｂ及び画線Ｂ’とは少なくとも一つの異なる色彩で可視光領域で発光し、かつ第２の波長の紫外線を照射した場合に可視光領域で発光しない無色透明又は淡色インキで形成される。
【００５４】
さらに、印刷インキについて詳細に説明する。図１５は、通常の可視光では無色であり、紫外線を照射するとそれぞれが異なる蛍光色で発光する三種類の蛍光インキの励起スペクトルを示した説明図である。図１５に示した励起光３６５ｎｍ時の無色蛍光インキＲ、Ｇ、Ｂの励起は、無色蛍光インキＧが若干高いが、ほぼ三種類とも同じとし、無色蛍光インキＲ、Ｇ、Ｂの発光は、ほぼ同じ発光をする。しかし、励起光３７５ｎｍ時の無色蛍光インキＲ、Ｇ、Ｂの励起は、無色蛍光インキＧが高く、無色蛍光インキＲと無色蛍光インキＢは無色蛍光インキＧと比較するとかなり低くなり、無色蛍光インキＲ、Ｇ、Ｂの発光は、無色蛍光インキＧが強く発光し、無色蛍光インキＲと無色蛍光インキＢは無色蛍光インキＧと比較すると弱く発光する。すなわち、波長３６５ｎｍの紫外線では、無色蛍光インキＲ、Ｇ、Ｂは、ほぼ同じ発光をし、波長３７５ｎｍの紫外線では、無色蛍光インキＧが強く発光し、無色蛍光インキＲ、Ｂは、ほぼ発光しない状態になる。
【００５５】
図１６は、波長３６５ｎｍの紫外線で励起された無色蛍光インキＲ、Ｇ、Ｂの発光スペクトルと、波長３７５ｎｍの紫外線で励起された無色蛍光インキＲ、Ｇ、Ｂの発光スペクトルを示した説明図である。図１６（ａ）と図１６（ｂ）の発光スペクトルを比較すると、図１６（ａ）に示した励起光３６５ｎｍでの無色蛍光インキＧの発光と、図１６（ｂ）に示した励起光３７５ｎｍでの無色蛍光インキＧの発光は、ほぼ同じである。すなわち、波長３６５ｎｍの紫外線と波長３７５ｎｍの紫外線では、無色蛍光インキＧの発光は、ほぼ同じ発光をしていることになる。また、図１６（ａ）に示した励起光３６５ｎｍでの無色蛍光インキＲの発光と、図１６（ｂ）に示した励起光３７５ｎｍでの無色蛍光インキＲの発光は、励起光３６５ｎｍでの無色蛍光インキＲの発光の方が強く、励起光３７５ｎｍでの無色蛍光インキＲの発光の方は弱いため、励起光３７５ｎｍでの無色蛍光インキＲは、ほぼ発光していないことになる。すなわち、波長３７５ｎｍの紫外線では、無色蛍光インキＲは、ほぼ発光していないことになる。さらに、図１６（ａ）に示した励起光３６５ｎｍでの無色蛍光インキＢの発光と、図１６（ｂ）に示した励起光３７５ｎｍでの無色蛍光インキＢの発光は、励起光３６５ｎｍでの無色蛍光インキＢの発光の方が強く、励起光３７５ｎｍでの無色蛍光インキＢの発光の方は弱いため、励起光３７５ｎｍでの無色蛍光インキＢは、ほぼ発光していないことになる。すなわち、波長３７５ｎｍの紫外線では、無色蛍光インキＢは、ほぼ発光していないことになる。
【００５６】
図１７は、紫外線ランプ５の紫外線を照射して観察した状態と紫外線ランプ５の紫外線を照射し、第２の判別具であるレンチキュラーレンズ１０を重ね合わせて観察した状態を示した説明図である。図１７（ａ）は、図３（ａ）に示した印刷物１に対して、紫外線ランプ５の紫外線を照射して観察した状態であり、図１７（ｂ）は、紫外線ランプ５の紫外線を照射し、第２の判別具であるレンチキュラーレンズ１０を重ね合わせて観察した状態である。なお、図３（ａ）では、無色蛍光インキによって印刷された印刷模様２の模様７と模様８を分かりやすく黒色にて表示している。図３（ａ）に示した印刷物１は、通常の可視光での観察では、図３（ａ）に示した無色蛍光インキによって印刷された印刷模様２の模様７と模様８は、目視では無色となっているため視認されない。すなわち、印刷物１は、目視では何も印刷されていないように視認される。
【００５７】
この印刷物１の版面構成は、図３（ｂ）に示した版面９は模様７を有し、詳細には図９（ｂ）に示した画線Ａ及び画線Ａ’、図９（ｃ）に示した画線Ｂ及び画線Ｂ’のいずれか一方又は双方を有している。また、図３（ｃ）に示した版面９は模様８の「桜」を有し、詳細には図９（ｄ）に示した画線Ｃ、図９（ｅ）に示した画線Ｄのいずれか一方又は双方を有している。図３（ａ）に示した印刷物１は、図３（ｂ）に示した版面９と図３（ｃ）に示した版面９を使用し印刷されたものになっている。
【００５８】
図３（ｂ）に示した版面９を図１５、図１６で示した特性の無色蛍光インキＧを使用し、図３（ｃ）に示した版面９を図１５、図１６で示した特性の無色蛍光インキＲを使用し、図３（ａ）に示した印刷物１を印刷する。この印刷物１を、図１に示した視点６において、印刷物１に第１の判別具である紫外線ランプ５を用いて波長３６５ｎｍの紫外線を照射すると、図１７（ａ）のように、紫外線によって蛍光インキが励起し発光することによって、第１の不可視画像である印刷模様２の模様７と、第１の不可視画像の主体となる印刷模様２の模様８の「桜」が発現する。すなわち、波長３６５ｎｍの紫外線では、図１６（ａ）に示した無色蛍光インキＧと無色蛍光インキＲは、無色蛍光インキＧの発光が若干強いが、無色蛍光インキＧと無色蛍光インキＲの発光は、ほぼ同じ発光をし、印刷模様２の模様７と模様８の「桜」が同時に発光をする。
【００５９】
また、図１２に示したように、印刷物１に対し第１の判別具である紫外線ランプ５で波長３７５ｎｍの紫外線を照射し、かつ第２の判別具であるレンチキュラーレンズ１０を重ね合わせると、図１７（ｂ）のように、紫外線によって蛍光インキが励起し発光することによって、第１の不可視画像の一部である印刷模様２の模様７がほとんど視認できなくなり、第２の不可視画像１１の「ＪＰＮ」として発現し、第１の不可視画像の主体となっていた印刷模様２の模様８の「桜」がほとんど視認できなくなる。すなわち、波長３７５ｎｍの紫外線では、図１６（ｂ）に示した無色蛍光インキＧと無色蛍光インキＲは、無色蛍光インキＧが発光し続け、無色蛍光インキＲは、ほぼ発光しない、印刷模様２の模様７と模様８の「桜」がほとんど視認できなくなり、第２の不可視画像１１の「ＪＰＮ」だけが発光をする。
【００６０】
すなわち、図１５、図１６で示した特性の無色蛍光インキＧと無色蛍光インキＲを使用したことにより、図５（ｂ）に示した印刷模様２の模様８の「桜」に使用されている無色蛍光インキＲが波長３７５ｎｍの紫外線でほぼ視認できなくなり、図１７（ｂ）に示すように第２の不可視画像１１の「ＪＰＮ」がはっきりと発光し、文字としてのメッセージを伝えるべき「ＪＰＮ」が発現された。
【００６１】
（実施の形態２）
図１８は、図３（ａ）に示した印刷物１に対して、図１８（ｄ）に示した版面９の模様４を使用し、更に加えて印刷されたものである。また、図１８（ｄ）に示した版面９は模様４の「大きい桜」を有し、詳細には図９（ｄ）に示した画線Ｃ、図９（ｅ）に示した画線Ｄのいずれか一方又は双方を有している。例えば、図１８（ｃ）に示した版面９は模様８の「小さい桜」を図９（ｄ）に示した画線Ｃで形成した場合、図１８（ｄ）に示した版面９は模様４の「大きい桜」は図９（ｅ）に示した画線Ｄで形成することが好ましい。図１９は、図１８（ａ）に示した印刷物１に対して、紫外線ランプ５の紫外線を照射して観察した状態が図１９（ａ）に示され、紫外線ランプ５の紫外線を照射し、第２の判別具であるレンチキュラーレンズ１０を重ね合わせて観察した状態が図１９（ｂ）に示されている。なお、図１８（ａ）では、無色蛍光インキによって印刷された印刷模様２の模様７、模様４及び模様８を分かりやすく黒色にて表示している。図１８（ａ）に示した印刷物１は、通常の可視光での観察では、図１８（ａ）に示した無色蛍光インキによって印刷された印刷模様２の模様７、模様４及び模様８は、目視では無色となっているため視認されない。すなわち、印刷物１は、目視では何も印刷されていないように視認される。
【００６２】
この印刷物１の版面構成は、図１８（ｂ）に示した版面９は模様７を有し、詳細には図９（ｂ）に示した画線Ａ及び画線Ａ’、図９（ｃ）に示した画線Ｂ及び画線Ｂ’のいずれか一方又は双方を有している。また、図１８（ｃ）に示した版面９は模様８の「小さい桜」を有し、詳細には図９（ｄ）に示した画線Ｃ、図９（ｅ）に示した画線Ｄの一方を有している。さらに、図１８（ｄ）に示した版面９は模様４の「大きい桜」を有し、詳細には図９（ｄ）に示した画線Ｃ、図９（ｅ）に示した画線Ｄの他方を有している。図１８（ａ）に示した印刷物１は、図１８（ｂ）に示した版面９、図１８（ｃ）に示した版面９及び図１８（ｄ）に示した版面９を使用し印刷されたものになっている。
【００６３】
図１８（ｂ）に示した版面９を図１５、図１６で示した特性の無色蛍光インキＧを使用し、図１８（ｃ）に示した版面９を図１５、図１６で示した特性の無色蛍光インキＲを使用し、図１８（ｄ）に示した版面９を図１５、図１６で示した特性の無色蛍光インキＢを使用し、図１８（ａ）に示した印刷物１を印刷する。この印刷物１を、図１に示した視点６において、印刷物１に第１の判別具である紫外線ランプ５を用いて波長３６５ｎｍの紫外線を照射すると、図１９（ａ）のように、紫外線によって蛍光インキが励起し発光することによって、第１の不可視画像である印刷模様２の模様７、第１の不可視画像の主体となる印刷模様２の模様８の「小さい桜」及び印刷模様２の模様４の「大きい桜」が発現する。すなわち、波長３６５ｎｍの紫外線では、図１６（ａ）に示した無色蛍光インキＧ、無色蛍光インキＲ及び無色蛍光インキＢは、無色蛍光インキＧの発光が若干強いが、無色蛍光インキＧ、無色蛍光インキＲ及び無色蛍光インキＢは、ほぼ同じ発光をし、印刷模様２の模様７、模様８の「小さい桜」及び模様４の「大きい桜」が同時に発光をする。
【００６４】
また、図１２に示したように、印刷物１に対し第１の判別具である紫外線ランプ５で波長３７５ｎｍの紫外線を照射し、かつ第２の判別具であるレンチキュラーレンズ１０を重ね合わせると、図１９（ｂ）のように、紫外線によって蛍光インキが励起し発光することによって、第１の不可視画像の一部である印刷模様２の模様７がほとんど視認できなくなり、第２の不可視画像１１の「ＪＰＮ」として発現し、第１の不可視画像の主体となっていた印刷模様２の模様８の「小さい桜」と模様４の「大きい桜」がほとんど視認できなくなる。すなわち、波長３７５ｎｍの紫外線では、図１６（ｂ）に示した無色蛍光インキＧと無色蛍光インキＲと無色蛍光インキＢは、無色蛍光インキＧが発光し続け、無色蛍光インキＲと無色蛍光インキＢは、ほぼ発光しない、印刷模様２の模様７、模様８の「小さい桜」及び印刷模様２の模様４の「大きい桜」がほとんど視認できなくなり、第２の不可視画像１１の「ＪＰＮ」だけが発光をする。
【００６５】
すなわち、図１５、図１６で示した特性の無色蛍光インキＧ、無色蛍光インキＲ及び無色蛍光インキＢを使用したことにより、図５（ｂ）に示した印刷模様２の模様８の「桜」に使用されている無色蛍光インキＲが波長３７５ｎｍの紫外線でほぼ視認できなくなり、図１９（ｂ）に示すように第２の不可視画像１１の「ＪＰＮ」がはっきりと発光し、文字としてのメッセージを伝えるべき「ＪＰＮ」が発現された。図１７と図１９を比較すると、単純に図１７（ａ）に図１９（ａ）に示した模様４を加えただけで、図１７（ｂ）と図１９（ｂ）に示すように結果は同じであるが、図１８に示した版面構成（ｂ）、（ｃ）、（ｄ）を図１５、図１６で示した特性の無色蛍光インキＲ、無色蛍光インキＧ及び無色蛍光インキＢを使用することにより、三種類の蛍光発光は異なるため、意匠性に優れる面と画線構成が複雑になるため偽造防止効果が更に高まることになる。
【００６６】
また、図２０は、本発明の偽造防止用印刷物のその他の実施の形態を示す説明図である。図２０に示すように本発明の偽造防止用印刷物は、可視光下で視認可能なインキを用いて可視情報を付与することができる。また、他の実施の形態として可視情報は、上記記載の画線Ａ、画線Ａ’、画線Ｂ、画線Ｂ’と同様の機能を有する無色蛍光インキを用いることによって可視情報を第１の不可視情報に組み込むことができる。さらに、図６〜図１４に説明されたものと同じ、特許文献６に類する画線構成を有する版面、図３（ｂ）に示した版面９は、機能性を有する画線とし、その画線に限定されるものではなく、例えば、微小文字も機能性を有する画線などに含み、その画線構成も本発明の範囲となる。
【符号の説明】
【００６７】
１          印刷物
２          印刷模様
３          可視情報
４、７、８  任意の図形及び文字から成る模様
５          紫外線ランプ
６          視点
９          版面
１０        レンチキュラーレンズ
１１、１２  不可視画像
１３        中心線
Ａ、Ａ’、Ｂ、Ｂ’、Ｃ、Ｄ  画線
Ｌ１、Ｌ２、Ｌ３、Ｌ４    線
Ｓ          寸法
Ｒ、Ｇ、Ｂ  無色蛍光インキ
【図１】
0006600874.tif 000002
【図２】
0006600874.tif 000003
【図３】
0006600874.tif 000004
【図４】
0006600874.tif 000005
【図５】
0006600874.tif 000006
【図６】
0006600874.tif 000007
【図７】
0006600874.tif 000008
【図８】
0006600874.tif 000009
【図９】
0006600874.tif 000010
【図１０】
0006600874.tif 000011
【図１１】
0006600874.tif 000012
【図１２】
0006600874.tif 000013
【図１３】
0006600874.tif 000014
【図１４】
0006600874.tif 000015
【図１５】
0006600874.tif 000016
【図１６】
0006600874.tif 000017
【図１７】
0006600874.tif 000018
【図１８】
0006600874.tif 000019
【図１９】
0006600874.tif 000020
【図２０】
0006600874.tif 000021